(57)【要約】【課題】一つの記録ヘッドの中に、活性エネルギー線照射装置との距離の異なるノズルが混在している場合や、同一色相のインクを吐出する記録ヘッドが複数あり、それぞれ活性エネルギー線照射装置との距離が異なる場合でも、記録媒体上に記録された画像の反射濃度にむらがなく、高精細な画像記録を行うことができるインクジェット記録装置を提供する。【解決手段】紫外線硬化型のインクを用いて記録を行うインクジェット記録装置１００において、インクに対して紫外線を照射する光照射部３３と、同一色相のインクを吐出するものとして、光照射部３３との距離が異なる少なくとも２つ以上のノズル３５を有し、ノズル３５から記録媒体Ｐ上にインクを吐出させることにより記録を行う記録ヘッド３４ａ，３４ｂと、２つ以上のノズル３５のいずれによって記録された画像であっても反射濃度がほぼ同等となるように、画像の反射濃度を調整するＣＰＵ４１と、を備えている。【選択図】図４
2008162176.tif 000002
【特許請求の範囲】
【請求項１】
活性エネルギー線を照射することによって硬化する活性エネルギー線硬化型のインクを用いて記録を行うインクジェット記録装置であって、
記録媒体に着弾した活性エネルギー線硬化型のインクに活性エネルギー線を照射する活性エネルギー線照射手段と、
同一色相のインクを吐出するものとして、前記活性エネルギー線照射手段との距離が異なる少なくとも２つ以上のノズルを有し、前記ノズルから前記記録媒体上に活性エネルギー線硬化型のインクを吐出させることにより記録を行う記録手段と、
前記２つ以上のノズルのいずれによって記録された画像であっても反射濃度がほぼ同等となるように、画像の反射濃度を調整する反射濃度調整手段と、を備えていることを特徴とするインクジェット記録装置。
【請求項２】
前記反射濃度調整手段は、前記ノズルと前記活性エネルギー線照射手段との距離に応じて、前記記録手段によるインク吐出を制御するものであることを特徴とする請求項１に記載のインクジェット記録装置。
【請求項３】
前記反射濃度調整手段は、前記ノズルと前記活性エネルギー線照射手段との距離に応じて画像データに画像処理を施し、当該画像処理を施された画像データに基づいて前記記録手段を動作させるものであることを特徴とする請求項１又は請求項２に記載のインクジェット記録装置。
【請求項４】
前記記録手段は多諧調記録を行うものであって、
前記反射濃度調整手段は、前記２つ以上のノズルのいずれによって記録された画像であっても反射濃度がほぼ同等となるように、中間調での単位面積当たりの記録率を異ならせるように前記記録手段を制御するものであることを特徴とする請求項１から請求項３のいずれか一項に記載のインクジェット記録装置。
【請求項５】
同一色相のインクによって記録を行う前記記録手段が千鳥状に複数配置されており、
前記各記録手段には、それぞれ前記ノズルが列状に配置されていることを特徴とする請求項１から請求項４のいずれか一項に記載のインクジェット記録装置。
【請求項６】
前記各記録手段に設けられたノズルのうちの一部は、隣接する前記記録手段に設けられたノズルのうちの一部のノズルによる記録箇所と重複した箇所に記録を行うものであり、
前記反射濃度調整手段は、当該記録箇所の重複するノズルによる記録とそれ以外のノズルによる記録との中間調での単位面積当たりの記録率を異ならせるものであることを特徴とする請求項５に記載のインクジェット記録装置。
【請求項７】
前記反射濃度調整手段は、前記ノズルと前記活性エネルギー線照射手段との距離に応じて、前記記録手段に印加する駆動電圧を変化させるものであることを特徴とする請求項１に記載のインクジェット記録装置。
【請求項８】
前記反射濃度調整手段は、前記ノズルと前記活性エネルギー線照射手段との距離に応じて、前記記録媒体に着弾した活性エネルギー線硬化型のインクに照射する活性エネルギー線量を変化させるように活性エネルギー線照射手段を制御するものであることを特徴とする請求項１に記載のインクジェット記録装置。
【請求項９】
前記記録媒体の温度を変化させる温度調整手段をさらに備え、
前記反射濃度調整手段は、前記ノズルと前記活性エネルギー線照射手段との距離に応じて、前記記録媒体の温度を変化させるように前記温度調整手段を制御するものであることを特徴とする請求項１に記載のインクジェット記録装置。
【請求項１０】
前記記録手段は多諧調記録を行うものであって、
前記反射濃度調整手段は、中間調での濃度を基準として前記記録手段に印加する駆動電圧、インクに照射される活性エネルギー線量及び記録媒体の温度のうち少なくともいずれか一つを変化させるものであることを特徴とする請求項７から請求項９のいずれか一項に記載のインクジェット記録装置。
【請求項１１】
同一色相のインクによって記録を行う前記記録手段が千鳥状に複数配置されており、
前記各記録手段には、それぞれ前記ノズルが列状に配置されていることを特徴とする請求項７から請求項１０のいずれか一項に記載のインクジェット記録装置。
【請求項１２】
前記反射濃度調整手段は、前記記録媒体の種類に応じて、前記記録手段によって記録される単位面積当たりの記録率、前記記録手段に印加する駆動電圧、インクに照射される活性エネルギー線量及び記録媒体の温度のうち少なくともいずれか一つを変化させるものであることを特徴とする請求項１から請求項１１のいずれか一項に記載のインクジェット記録装置。
【発明の詳細な説明】
【技術分野】
【０００１】
本発明は、活性エネルギー線硬化型のインクを用いて記録を行うインクジェット記録装置に関するものである。
【背景技術】
【０００２】
近年、記録速度の高速化等に対応するため、インクジェット方式の記録装置において、一つの記録ヘッドの中に多くのノズルを設ける多ノズル化が促進されている。また、インクジェット方式の記録ヘッド（記録手段）を長尺に形成し、インクの種類（色相）に対応した複数の記録ヘッドを記録媒体の幅方向に延在して平行に配置するライン型のインクジェット記録装置が考案されており（例えば、特許文献１参照）、多方面での利用が検討されている。
【０００３】
このようなライン型のインクジェット記録装置では、記録媒体の幅方向の長さとほぼ同様の長さの記録ヘッドを用いる必要があるが、近年の記録媒体の大型化に伴い、記録媒体の幅方向の長さを有する長尺な記録ヘッドを設けることは、記録ヘッドの配置や記録ヘッドの製造段階での精度の確保、生産性等の理由により困難な場合が多い。
【０００４】
そこで、同一色相の記録ヘッドを複数千鳥状に配置することにより、一つの長尺な記録ヘッドを設けたのと同様に記録を行うことのできる構成のライン型のインクジェット記録装置も提案されている（例えば、特許文献２参照）。また、このように複数の記録ヘッドを配置する場合には、複数の記録ヘッドの繋ぎ目部分において記録画像にスジ等が表れにくくするために、記録ヘッドに設けられたノズルのうち、一部のノズルによる記録箇所が重複するように記録ヘッドを配置する構成がとられる場合がある（例えば、特許文献３参照）。
【０００５】
ところで、樹脂等のインク吸収性のない記録媒体にも画像記録を行うことができるインクジェット記録装置として、光等の活性エネルギー線によって硬化する活性エネルギー線硬化型のインクを用いて記録を行うインクジェット記録装置が考案されている（例えば、特許文献４参照）。
【０００６】
しかし、光等の活性エネルギー線によって硬化する活性エネルギー線硬化型のインクを用いて記録を行うと、記録ヘッドのノズルからインクが吐出され記録媒体に着弾してから活性エネルギー線の照射によって硬化するまでのタイミングによって記録媒体上に着弾したインクのドットの大きさが異なる。
このため、一つの記録ヘッドの中に、活性エネルギー線照射装置との距離の異なるノズルが混在している場合や、記録ヘッドが複数ある場合であって、記録ヘッドから活性エネルギー線照射装置までの距離が記録ヘッドごとに異なる場合には、記録媒体上に着弾したインクのドットの大きさがノズルごと又は記録ヘッドごとに異なり、ノズルごと又は記録ヘッドごとに記録媒体上に記録された画像の反射濃度が異なってしまう。
【０００７】
そこで、記録ヘッドと活性エネルギー線照射装置との距離に応じてインクの吐出量を変化させることにより、記録媒体上に着弾したインクのドットの大きさにばらつきが出ないようにしたライン型のインクジェット記録装置も提案されている（例えば、特許文献５参照）。
【特許文献１】特開平成１１−２６８３５５号公報
【特許文献２】特開２００２−３３７３２０号公報
【特許文献３】特開２００６−３５７７０号公報
【特許文献４】特開２００１−３１０４５４号公報
【特許文献５】特開２００４−２９９０７０号公報
【発明の開示】
【発明が解決しようとする課題】
【０００８】
しかしながら、近年は、前述したように、一つの記録ヘッドの中に、活性エネルギー線照射装置との距離の異なるノズルが混在している場合や、同一色相のインクを吐出する記録ヘッドが記録媒体の幅方向に延在して平行に配置するライン型のインクジェット記録装置ライン型のインクジェット記録装置等において、同一色相のインクを吐出する記録ヘッドが複数ある場合がある。
このような場合においては、記録ヘッドからインクが吐出され記録媒体に着弾してから活性エネルギー線の照射によって硬化するまでのタイミングがノズルごと又は記録ヘッドごとに異なるため、記録媒体上に着弾したインクのドットの大きさがノズルごと又は記録ヘッドごとに異なる。このため、ノズルごと又は記録ヘッドごとに記録媒体上に記録された画像の反射濃度が異なり、高精細な画像を行うことができないとの問題がある。特に同一色相のインクによる記録においてインクのドットの大きさが異なる場合、異なる色相間でインクのドットの大きさが異なる場合と比べて画像の反射濃度の違いが画質に与える影響が大きい。
この点、特許文献５に記載されている技術は、インクの種類（色相）に対応した複数の記録ヘッドを備える場合において、各記録ヘッドと活性エネルギー線照射装置との距離に対応してインクの吐出量を変化させるものであり、同一色相のインクを吐出するノズル間で活性エネルギー線照射装置との距離が異なる場合についてインクのドットのばらつきを解消するものではなかった。
【０００９】
そこで、本発明は以上のような課題を解決するためになされたものであり、一つの記録ヘッドの中に、活性エネルギー線照射装置との距離の異なるノズルが混在している場合や、同一色相のインクを吐出する記録ヘッドが複数あり、それぞれ活性エネルギー線照射装置との距離が異なる場合でも、記録媒体上に記録された画像の反射濃度にむらがなく、高精細な画像記録を行うことができるインクジェット記録装置を提供することを目的とするものである。
【課題を解決するための手段】
【００１０】
このような問題を解決するため、請求項１に記載されている発明は、
活性エネルギー線を照射することによって硬化する活性エネルギー線硬化型のインクを用いて記録を行うインクジェット記録装置であって、
記録媒体に着弾した活性エネルギー線硬化型のインクに活性エネルギー線を照射する活性エネルギー線照射手段と、
同一色相のインクを吐出するものとして、前記活性エネルギー線照射手段との距離が異なる少なくとも２つ以上のノズルを有し、前記ノズルから前記記録媒体上に活性エネルギー線硬化型のインクを吐出させることにより記録を行う記録手段と、
前記２つ以上のノズルのいずれによって記録された画像であっても反射濃度がほぼ同等となるように、画像の反射濃度を調整する反射濃度調整手段と、を備えていることを特徴としている。
【００１１】
請求項２に記載されている発明は、請求項１に記載のインクジェット記録装置において、
前記反射濃度調整手段は、前記ノズルと前記活性エネルギー線照射手段との距離に応じて、前記記録手段によるインク吐出を制御するものであることを特徴としている。
【００１２】
請求項３に記載されている発明は、請求項１又は請求項２に記載のインクジェット記録装置において、
前記反射濃度調整手段は、前記ノズルと前記活性エネルギー線照射手段との距離に応じて画像データに画像処理を施し、当該画像処理を施された画像データに基づいて前記記録手段を動作させるものであることを特徴としている。
【００１３】
さらに、請求項４に記載の発明は、請求項１から請求項３のいずれか一項に記載のインクジェット記録装置において、
前記記録手段は多諧調記録を行うものであって、
前記反射濃度調整手段は、前記２つ以上のノズルのいずれによって記録された画像であっても反射濃度がほぼ同等となるように、中間調での単位面積当たりの記録率を異ならせるように前記記録手段を制御するものであることを特徴としている。
【００１４】
次に、請求項５に記載の発明は、請求項１から請求項４のいずれか一項に記載のインクジェット記録装置において、
同一色相のインクによって記録を行う前記記録手段が千鳥状に複数配置されており、
前記各記録手段には、それぞれ前記ノズルが列状に配置されていることを特徴としている。
【００１５】
次に、請求項６に記載の発明は、請求項５に記載のインクジェット記録装置において、
前記各記録手段に設けられたノズルのうちの一部は、隣接する前記記録手段に設けられたノズルのうちの一部のノズルによる記録箇所と重複した箇所に記録を行うものであり、
前記反射濃度調整手段は、当該記録箇所の重複するノズルによる記録とそれ以外のノズルによる記録との中間調での単位面積当たりの記録率を異ならせるものであることを特徴としている。
【００１６】
また、請求項７に記載の発明は、請求項１に記載のインクジェット記録装置において、
前記反射濃度調整手段は、前記ノズルと前記活性エネルギー線照射手段との距離に応じて、前記記録手段に印加する駆動電圧を変化させるものであることを特徴としている。
【００１７】
また、請求項８に記載の発明は、請求項１に記載のインクジェット記録装置において、
前記反射濃度調整手段は、前記ノズルと前記活性エネルギー線照射手段との距離に応じて、前記記録媒体に着弾した活性エネルギー線硬化型のインクに照射する活性エネルギー線量を変化させるように活性エネルギー線照射手段を制御するものであることを特徴としている。
【００１８】
また、請求項９に記載の発明は、請求項１に記載のインクジェット記録装置において、
前記記録媒体の温度を変化させる温度調整手段をさらに備え、
前記反射濃度調整手段は、前記ノズルと前記活性エネルギー線照射手段との距離に応じて、前記記録媒体の温度を変化させるように前記温度調整手段を制御するものであることを特徴としている。
【００１９】
さらに、請求項１０に記載の発明は、請求項７から請求項９のいずれか一項に記載のインクジェット記録装置において、
前記記録手段は多諧調記録を行うものであって、
前記反射濃度調整手段は、中間調での濃度を基準として前記記録手段に印加する駆動電圧、インクに照射される活性エネルギー線量及び記録媒体の温度のうち少なくともいずれか一つを変化させるものであることを特徴としている。
【００２０】
さらに、請求項１１に記載の発明は、請求項７から請求項１０のいずれか一項に記載のインクジェット記録装置において、
同一色相のインクによって記録を行う前記記録手段が千鳥状に複数配置されており、
前記各記録手段には、それぞれ前記ノズルが列状に配置されていることを特徴としている。
【００２１】
さらに、請求項１２に記載の発明は、請求項１から請求項１１のいずれか一項に記載のインクジェット記録装置において、
前記反射濃度調整手段は、前記記録媒体の種類に応じて、前記記録手段によって記録される単位面積当たりの記録率、前記記録手段に印加する駆動電圧、インクに照射される活性エネルギー線量及び記録媒体の温度のうち少なくともいずれか一つを変化させるものであることを特徴としている。
【発明の効果】
【００２２】
請求項１に記載された発明によれば、活性エネルギー線照射手段との距離が異なる複数のノズルがある場合に、照射タイミングのずれにより、ノズルごとにインクの硬化状態が変わることにより生じる画像の反射濃度のばらつきをなくすように調整を行うので、同一色相のインクを吐出するノズルが複数ある場合でも、全体としてむらのない高精細な画像を形成することができるという効果を奏する。
【００２３】
請求項２に記載された発明によれば、ノズルと活性エネルギー線照射手段との距離に応じて、記録手段によるインク吐出を制御するので、機械的構成や記録手段の駆動部の構成を変化させることなく、照射タイミングのずれに起因する画像の反射濃度のばらつきをなくすことができ、同一色相のインクを吐出するノズルが複数ある場合でも、全体としてむらのない高精細な画像を形成することができるという効果を奏する。
【００２４】
次に、請求項３に記載された発明によれば、ノズルと活性エネルギー線照射手段との距離に応じて、画像データに画像処理を施し、当該画像処理を施された画像データに基づいて前記記録手段を動作させるので、機械的構成や記録手段の駆動部の構成を変化させることなく、照射タイミングのずれに起因する画像の反射濃度のばらつきをなくすことができ、同一色相のインクを吐出するノズルが複数ある場合でも、全体としてむらのない高精細な画像を形成することができるという効果を奏する。
【００２５】
請求項４に記載された発明によれば、ノズルと活性エネルギー線照射手段との距離に応じて、画像むら等の目立ちやすい中間調での単位面積当たりの記録率を異ならせるように記録手段を制御するので、照射タイミングのずれに起因する画像の反射濃度のばらつきをなくすことができ、同一色相のインクを吐出するノズルが複数ある場合でも、全体としてむらのない高精細な画像を形成することができるという効果を奏する。
【００２６】
さらに、請求項５に記載された発明によれば、記録手段を千鳥状に複数配置することにより、長尺な記録手段を設ける必要がなく、生産段階の精度を向上させることができるとともに、記録手段ごとに活性エネルギー線照射手段との距離に応じた調整を行えばよく、より簡易な手法で照射タイミングのずれに起因する画像の反射濃度のばらつきをなくすことができるという効果を奏する。
【００２７】
請求項６に記載された発明によれば、千鳥状に複数配置された記録手段の繋ぎ目にすじ等が表れるのを防いで高精細な画像形成を可能とするとともに、一部のノズルにおいて記録箇所が重複するように記録手段を配置した場合でも、照射タイミングのずれに起因する画像の反射濃度のばらつきをなくすことができるという効果を奏する。
【００２８】
請求項７に記載された発明によれば、ノズルと活性エネルギー線照射手段との距離に応じて、記録手段に印加する駆動電圧を変化させるので、照射タイミングのずれに起因する画像の反射濃度のばらつきをなくすことができ、同一色相のインクを吐出するノズルが複数ある場合でも、全体としてむらのない高精細な画像を形成することができるという効果を奏する。
【００２９】
次に、請求項８に記載された発明によれば、ノズルと活性エネルギー線照射手段との距離に応じて、インクに照射する活性エネルギー線量を変化させるように活性エネルギー線照射手段を制御するので、例えば活性エネルギー線照射手段としてＬＥＤを用いた場合等、照射光量を変化させることが容易な構成では、簡易な構成により画像の反射濃度のばらつきをなくすことができ、同一色相のインクを吐出するノズルが複数ある場合でも、全体としてむらのない高精細な画像を形成することができるという効果を奏する。
【００３０】
請求項９に記載された発明によれば、ノズルと活性エネルギー線照射手段との距離に応じて、記録媒体の温度を変化させるように温度調整手段を制御するので、記録媒体の温度を変化させることによりインクの物性を変化させることができる。これにより、照射タイミングのずれに起因する画像の反射濃度のばらつきをなくすことができ、同一色相のインクを吐出するノズルが複数ある場合でも、全体としてむらのない高精細な画像を形成することができるという効果を奏する。
【００３１】
さらに、請求項１０に記載された発明によれば、画像むら等の目立ちやすい中間調での記録において、ノズルと活性エネルギー線照射手段との距離に応じて調整を行うので、簡易かつ効果的に照射タイミングのずれに起因する画像の反射濃度のばらつきをなくすことができるという効果を奏する。
【００３２】
請求項１１に記載された発明によれば、記録手段を千鳥状に複数配置することにより、長尺な記録手段を設ける必要がなく、生産段階の精度を向上させることができるとともに、記録手段ごとに活性エネルギー線照射手段との距離に応じた調整を行えばよく、より簡易な手法で照射タイミングのずれに起因する画像の反射濃度のばらつきをなくすことができるという効果を奏する。
【００３３】
請求項１２に記載された発明によれば、記録媒体の種類に応じて調整を行うので、照射タイミングの違いによる反射濃度への影響が記録媒体の種類によって異なる場合にも対応することができるという効果を奏する。
【発明を実施するための最良の形態】
【００３４】
以下、図面を参照して、本発明の好適な実施形態について説明する。なお、本発明を適用可能な実施形態がこれに限定されるものではない。
【００３５】
［第１実施形態］
まず、図１から図９を参照しつつ、本発明の第１の実施形態について説明する。ただし、発明の範囲は、図示例に限定されない。
図１は、本発明の第１の実施形態におけるインクジェット記録装置の要部構成を模式的に示した側面図である。
【００３６】
図１に示すように、インクジェット記録装置１００は、記録媒体Ｐを搬送経路に沿って搬送する搬送機構１と、搬送機構１により搬送される記録媒体Ｐを非記録面（記録面の側と反対側となる面）側から支持するプラテン２と、プラテン２に支持された記録媒体Ｐの記録面に画像を記録する画像記録ユニット３と、これらを統括的に制御する制御部４（図４参照）とを備えて構成されている。
【００３７】
搬送機構１は、プラテン２よりも記録媒体Ｐの搬送方向Ｘの上流側に配設され、所定幅を有する長尺な記録媒体Ｐが巻回された元巻きローラ１１と、元巻きローラ１１とプラテン２との間に配設され、元巻きローラ１１から送られる記録媒体Ｐを案内するための４つの上流側従動ローラ１２ａ〜１２ｄと、プラテン２よりも搬送方向Ｘの下流側に配設され、元巻きローラ１１から送られる記録媒体Ｐを巻き取るための巻き取りローラ１３と、プラテン２と巻き取りローラ１３との間に配設され、画像記録ユニット３にて画像記録された記録媒体Ｐを案内するための４つの下流側従動ローラ１４ａ〜１４ｄと、巻き取りローラ１３を回転駆動させる搬送モータ等の駆動源（図示せず）とを備えている。
このような構成の搬送機構１は、制御部４の制御下にて、駆動源の駆動により巻き取りローラ１３を回転させることにより、記録媒体Ｐを搬送方向Ｘに所定の速度で搬送可能となっている。
【００３８】
ここで、本実施の形態に用いられる記録媒体Ｐとしては、通常のインクジェット記録装置に適用される普通紙、再生紙、光沢紙等の各種紙、各種布地、各種不織布、樹脂、金属、ガラス等の材質からなる記録媒体Ｐが適用可能である。また、記録媒体Ｐの形態としては、ロール状のものが適用可能である。
なお、本実施形態では、元巻きローラ１１に巻回されたロール状の記録媒体Ｐを巻き取りローラ１３によって巻き取る構成のインクジェット記録装置１００について説明するが、インクジェット記録装置は、カットシート状や板状等の記録媒体Ｐを用いて画像記録を行う構成のものであってもよい。
【００３９】
プラテン２は、例えば略水平に配置された板状部材であり、記録媒体Ｐの非記録面側をプラテン２の上面に吸着させて支持する媒体支持機構２２（図４参照）を備えている。媒体支持機構２２は、例えば記録媒体Ｐを吸引することにより吸着させる吸引機構や記録媒体Ｐを静電吸着させる手段を適用できるが、媒体支持機構２２の構成はここに例示したものに限定されない。
【００４０】
また、プラテン２の上方には、画像記録ユニット３が設けられている。
図２及び図３を参照しつつ、画像記録ユニット３について詳細に説明する。
【００４１】
図２は、画像記録ユニット３の要部構成を示した上面図である。
図２に示すように、画像記録ユニット３は、搬送される記録媒体Ｐに対してライン方式にて画像の記録を行うものであり、支持部材３１上に、記録媒体Ｐの幅方向（記録媒体Ｐの搬送方向Ｘと直交する方向）にわたるライン型のヘッドユニット３２ａ，３２ｂ，３２ｃ，３２ｄと、ヘッドユニット３２ａ，３２ｂ，３２ｃ，３２ｄよりも搬送方向Ｘの下流側に配置され記録媒体Ｐの記録面に吐出され着弾したインクに活性エネルギー線としての紫外線を照射する光照射部３３とが設けられている。
【００４２】
光照射部３３は、記録媒体Ｐに着弾した活性エネルギー線硬化型のインクに活性エネルギー線を照射する活性エネルギー線照射手段であり、本実施形態においては、紫外線硬化型のインクに紫外線を照射可能な光源３７（図３参照）を備えている。
光照射部３３は、画像記録時において、ヘッドユニット３２から記録媒体Ｐの記録面に吐出されたインクにより形成された画像に対して光源３７から紫外線を照射するようになっており、これによって、記録面上にてインクが硬化し、画像の記録が行われる。
【００４３】
なお、前記光源３７としては、例えば、低圧水銀ランプ、高圧水銀ランプ、メタルハライドランプ、熱陰極管、冷陰極管、発光ダイオード並びに半導体レーザ等が適用可能であるが、光源３７として適用可能なものは、ここに例示したものに限定されない。
【００４４】
ヘッドユニット３２は、インクジェット記録装置１００で使用される４色（例えば、イエロー（Ｙ）、マゼンタ（Ｍ）、シアン（Ｃ）、ブラック（Ｋ））のインクに対応して４つ設けられており、これら４つのヘッドユニット３２ａ，３２ｂ，３２ｃ，３２ｄと光照射部３３とが記録媒体Ｐの幅方向に沿って互いにほぼ平行となるように配置されている。
なお、インクジェット記録装置１００で使用可能なインクは、ここに挙げた４色に限定されない。例えば、ライトイエロー（ＬＹ）、ライトマゼンタ（ＬＭ）、ライトシアン（ＬＣ）等の色インクや透明インク、白インク等を使用することもできる。この場合には、各インクに対応したヘッドユニットが支持部材３１に搭載される。
【００４５】
各ヘッドユニット３２は、同一色相のインクを吐出させる記録手段としての複数の記録ヘッド３４によって構成されている。図２及び図３に示すように、記録ヘッド３４は、隣接する記録ヘッド３４に対して搬送方向Ｘにおける位置がずれるように互い違いに配置されており、ヘッドユニット３２全体としてみると千鳥状に配置されている。
【００４６】
図３は、ヘッドユニット３２ａ，３２ｂ，３２ｃ，３２ｄの一つと光照射部３３とを下面側（記録媒体Ｐに対向する面）から見たものであり、ヘッドユニット３２と光照射部３３との配置を説明する説明図である。
なお、以下において、各ヘッドユニット３２ａ，３２ｂ，３２ｃ，３２ｄを構成する記録ヘッド３４のうち、光照射部３３に対する距離の近いものを近距離の記録ヘッド３４ａ、光照射部３３に対する距離の遠いものを遠距離の記録ヘッド３４ｂとする。
図３に示すように、各記録ヘッド３４の下面には、複数のノズル３５が設けられたノズル面３６となっており、ノズル３５は、ノズル面３６上に記録媒体Ｐの幅方向に延在して列状に形成されている。画像記録ユニット３は、各記録ヘッド３４のノズル面３６が画像記録時においてプラテン２上を搬送される記録媒体Ｐの記録面に対向するように配置されている。
【００４７】
各記録ヘッド３４ａ，３４ｂは、その端部が隣接する記録ヘッド３４ａ，３４ｂの端部とわずかに重なり合うように配置されており、重なり合っている部分のノズル３５の分だけ重複した箇所に記録がなされるようになっている。
【００４８】
本実施形態において、同一色相のインクを吐出する１つのヘッドユニット３２ａ，３２ｂ，３２ｃ，３２ｄを構成する各記録ヘッド３４ａ，３４ｂのノズル３５から光照射部３３の光源３７までの距離ｌは、当該ノズル３５の設けられている記録ヘッド３４が近距離の記録ヘッド３４ａであるか遠距離の記録ヘッド３４ｂであるかにより異なる。すなわち、近距離の記録ヘッド３４ａに設けられているノズル３５は光源３７との間の距離ｌａが短く、遠距離の記録ヘッド３４ｂに設けられているノズル３５は光源３７との間の距離ｌｂが長くなっている。
また、ノズル３５から光照射部３３の光源３７までの距離は、その記録ヘッド３４ａ，３４ｂが、どのヘッドユニット３２ａ，３２ｂ，３２ｃ，３２ｄを構成するものであるかによっても異なり、例えば、図２に示す本実施形態の構成によれば、ブラック（Ｋ）のインクを吐出するヘッドユニット３２ａが搬送方向Ｘの最上流に位置し、イエロー（Ｙ）のインクを吐出するヘッドユニット３２ｄが搬送方向Ｘの最下流に位置している。このため、ノズル３５から光照射部３３の光源３７までの距離は、ブラック（Ｋ）のインクを吐出するヘッドユニット３２ａを構成する記録ヘッド３４に設けられているノズル３５が最も長く、イエロー（Ｙ）のインクを吐出するヘッドユニット３２ｄを構成する記録ヘッド３４に設けられているノズル３５が最も短くなっている。
なお、本実施形態においては、同一の記録ヘッド３４ａ，３４ｂに設けられているノズル３５は、すべて光照射部３３の光源３７までの距離ｌが同じとなっているので、後述するノズル３５から光照射部３３の光源３７までの距離ｌに従った階調補正処理等は、記録ヘッド３４ａ，３４ｂごとに行うことができる。
【００４９】
また、各記録ヘッド３４のノズル３５の内部には、インクを吐出させるためのインク吐出手段３８が付設されている。インク吐出手段３８は、例えば、電圧を印加することによって変形するピエゾ素子等の圧電素子（図示せず）で構成されており、圧電素子に駆動電圧を印加することによって圧電素子を変形させ、これによりインク流路を圧縮してノズル３５からインクを吐出させるようになっている。なお、インク吐出手段３８の構成はここに例示したものに限定されず、インク吐出手段の作動により各ノズル３５からインク滴を別個に吐出することのできる構成のものであれば、圧電素子を用いた構成以外のものも適用できる。
【００５０】
また、記録ヘッド３４ａ，３４ｂは、濃度階調法によって画像の階調を表現するようになっている。ここで、濃度階調法とは、画像を構成する画素毎の濃度、即ち、一画素に対して吐出されるべきインクの液滴数又は液滴量を変化させる方法である。すなわち、記録媒体Ｐ上に形成される画像は、記録ヘッド３４ａ，３４ｂのノズル３５から吐出されるインクのインク吐出量（なお、インク吐出量は、インクの液滴量×液滴数）の変化に基づいて階調が変化することとなる。また、画像の階調表現を、例えば、ディザ法や誤差拡散法などの面積階調法の手法と組み合わせることで行うようにしてもよい。
【００５１】
ここで、本実施の形態に用いられる「インク」について説明する。
本実施の形態で用いられるインクは、活性エネルギー線を照射することにより硬化する活性エネルギー線硬化型インクであり、特に、「光硬化技術−樹脂・開始剤の選定と配合条件及び硬化度の測定・評価−（技術協会情報）」に記載の「光硬化システム（第４章）」の「光酸・塩基発生剤を利用する硬化システム（第１節）」、「光誘導型交互共重合（第２節）」等に適合するインクが適用可能であり、通常のラジカル重合により硬化するものであってもよい。
具体的に、本実施の形態に用いられるインクは、活性エネルギー線としての紫外線の被照射により硬化する性質を具備する紫外線硬化型インクであり、主成分として、少なくとも重合性化合物（公知の重合性化合物を含む。）と、光開始剤と、色材とを含むものである。ただし、本実施の形態に用いるインクとして、上記「光誘導型交互共重合（第２節）」に適合するインクを用いる場合には、光開始剤は除外されてもよい。
上記光硬化性インクは、重合性化合物として、ラジカル重合性化合物を含むラジカル重合系インクとカチオン重合性化合物を含むカチオン重合系インクとに大別されるが、その両系のインクが本実施の形態に用いられるインクとしてそれぞれ適用可能であり、ラジカル重合系インクとカチオン重合系インクとを複合させたハイブリッド型インクを本実施の形態に用いられるインクとして適用してもよい。
しかしながら、酸素による重合反応の阻害が少ない又は無いカチオン重合系インクのほうが機能性・汎用性に優れるため、本実施の形態では、特に、カチオン重合系インクを用いている。
なお、本実施の形態に用いられるカチオン重合系インクは、具体的に、少なくともオキセタン化合物，エポキシ化合物，ビニルエーテル化合物等のカチオン重合性化合物と、光カチオン開始剤と、色材とを含む混合物であり、上記の通り、紫外線の被照射により硬化する性質を具備するものである。
【００５２】
次に、制御部４について図４を参照して詳細に説明する。
ここで、図４は、制御部４の要部構成を示す機能ブロック図である。また、図５（ａ）は、階調補正テーブル４３ａを示す図であり、図５（ｂ）は、距離補正テーブル４３ｅを示す図であり、図５（ｃ）は、記録媒体補正テーブル４３ｇを示す図である。
【００５３】
図４に示すように、制御部４は、ＣＰＵ（Central Processing Unit）４１、ＲＡＭ（Random Access Memory）４２、ＲＯＭ（Read Only Memory）４３、インターフェイス（Ｉ／Ｆ）４４等から構成されており、制御部４はインターフェイス４４を介して、搬送機構１、プラテン２の媒体支持機構２２、画像記録ユニット３の各記録ヘッド３４に備えられるインク吐出手段３８等が電気的に接続されている。
【００５４】
ＲＯＭ４３は、情報を読み込み可能に記憶するメモリである。本実施形態において、ＲＯＭ４３には、インクジェット記録装置１００の各部の動作に関する各種制御プログラム（図示省略）、階調補正テーブル４３ａ、階調補正プログラム４３ｂ、インク吐出量制御プログラム４３ｃ等が記憶されている。
【００５５】
ここで、階調補正テーブル４３ａは、画像の画像データの階調補正に係る階調補正特性データを有するＬＵＴ（Look Up Table）である。階調補正特性データとは、具体的には、例えば、図５（ａ）に示すように、画像データに含まれる各画素の赤、緑、青成分の輝度を示す所定ビット数のＲＧＢデータの入力画像信号レベル（入力値）と、これら入力画像信号レベルに応じて階調補正されたＹＭＣＫデータのＤ／Ａ入力レベル（出力値）とを対応付けたものである。なお、本実施の形態では、入力画像信号レベルを、０〜２５５の濃度レベルで表現するものとし、Ｄ／Ａ入力レベルを、白レベルが０．０となり、黒レベルが１．０となるような濃度レベルで表現するものとする。
【００５６】
また、ＲＯＭ４３は、上記各種プログラムの実行に係る制御データ（図示省略）、搬送速度テーブル４３ｄ、距離補正テーブル４３ｅ、重複部補正テーブル４３ｆ、記録媒体補正テーブル４３ｇ等の各種のＬＵＴ（Look Up Table）を記憶している。
【００５７】
搬送速度テーブル４３ｄは、搬送機構１による記録媒体Ｐの搬送速度に係るＬＵＴである。この搬送速度テーブル４３ｄは、本実施の形態においては、搬送機構１による記録媒体Ｐの搬送速度に係る情報を含んで構成されており、例えば、高解像度の画像を形成するときには搬送速度が遅く、低解像度で画像を形成するときには搬送速度を速くするというように、画像の解像度、画質等に応じて所定の搬送速度が対応付けられている。
【００５８】
また、距離補正テーブル４３ｅは、各ノズル３５から光照射部３３の光源３７までの距離に係る情報を含んで構成されており、各ノズル３５から光照射部３３の光源３７までの距離と画像の階調値とを対応付けたＬＵＴである。
前述のように、本実施形態においては、各色相のインクに対応したヘッドユニット３２ａ，３２ｂ，３２ｃ，３２ｄのうち、いずれのヘッドユニット３２を構成している記録ヘッド３４に設けられているノズル３５であるかによって光源３７までの距離が異なり、さらに、同一色相のインクを吐出する一つのヘッドユニット３２を構成する記録ヘッド３４のうちでも、それが近距離の記録ヘッド３４ａであるか遠距離の記録ヘッド３４ｂであるかによってもノズル３５から光源３７までの距離が異なる。
【００５９】
このため、距離補正テーブル４３ｅは、図５（ｂ）に示すように、ブラック（Ｋ）のインクを吐出するヘッドユニット３２ａを構成する記録ヘッド３４のうち、近距離の記録ヘッド３４ａに設けられているノズル３５、遠距離の記録ヘッド３４ｂに設けられているノズル３５、シアン（Ｃ）のインクを吐出するヘッドユニット３４ｂを構成する記録ヘッド３４のうち、近距離の記録ヘッド３４ａに設けられているノズル３５、遠距離の記録ヘッド３４ｂに設けられているノズル３５…というように、４つの色相に対応した４つのヘッドユニット３２を構成する記録ヘッド３４を、さらに当該記録ヘッド３４が近距離の記録ヘッド３４ａであるか、遠距離の記録ヘッド３４ｂであるかというように、記録ヘッド３４を光源３７との距離に応じて８段階に分け、ノズル３５から光源３７までの距離に基づいて画像データの階調の補正量が各記録ヘッド３４ａ，３４ｂごとに規定されたＬＵＴである。なお、距離補正テーブル４３ｅは、ノズル３５から光源３７までの距離に基づいて、画像データの階調の補正量を各ノズル３５ごと又は一定のノズル群ごとに対応付けたものであってもよい。
【００６０】
すなわち、距離補正テーブル４３ｅは、例えば、各記録ヘッド３４からのインク吐出に基づいて形成される画像のうち、ブラック（Ｋ）のインクを吐出するヘッドユニット３２ａを構成する記録ヘッド３４により形成される画像の階調値、シアン（Ｃ）のインクを吐出するヘッドユニット３２ｂを構成する記録ヘッド３４により形成される画像の階調値、マゼンタ（Ｍ）のインクを吐出するヘッドユニット３２ｃを構成する記録ヘッド３４により形成される画像の階調値及びイエロー（Ｙ）のインクを吐出するヘッドユニット３２ｄを構成する記録ヘッド３４により形成される画像の階調値が、ブラック（Ｋ）、シアン（Ｃ）、マゼンタ（Ｍ）、イエロー（Ｙ）の順に小さくなるように、また、同一色相のインクを吐出する記録ヘッドの中でも近距離の記録ヘッド３４ａにより形成される画像の階調値が遠距離の記録ヘッド３４ｂにより形成される画像の階調値よりも小さくなるように、各記録ヘッド３４に設けられたノズル３５の光源３７に対する位置に応じて所定の補正係数が対応付けられている。
【００６１】
具体的には、例えば、図５（ｂ）に示すように、ブラック（Ｋ）のインクを吐出する記録ヘッド３４のうち遠距離の記録ヘッド３４ｂの補正係数は１．００であり、近距離の記録ヘッド３４ａの補正係数は０．９８である。また、シアン（Ｃ）のインクを吐出する記録ヘッド３４のうち遠距離の記録ヘッド３４ｂの補正係数は０．９５であり、近距離の記録ヘッド３４ａの補正係数は０．９３である。また、マゼンタ（Ｍ）のインクを吐出する記録ヘッド３４のうち遠距離の記録ヘッド３４ｂの補正係数は０．９０であり、近距離の記録ヘッド３４ａの補正係数は０．８９である。イエロー（Ｙ）のインクを吐出する記録ヘッド３４のうち遠距離の記録ヘッド３４ｂの補正係数は０．８７であり、近距離の記録ヘッド３４ａの補正係数は０．８６である。なお、ここに示した補正係数は一例であり、各記録ヘッド３４ａ，３４ｂの補正係数はこれに限定されない。
【００６２】
また、図３に例示したように、隣接する記録ヘッド３４の端部同士が重なり合い、重複した箇所に記録を行うノズル３５がある場合に、何ら補正を行わずに記録を行った場合には、重複した記録箇所の反射濃度が他の部分と異なり、記録画像にすじが現れる等、画質の低下が生じる。このため、重複部補正テーブル４３ｆは、記録箇所の重複するノズル３５による記録部分とそれ以外のノズル３５による記録部分との単位面積当たりの記録率又はノズル３５のインク吐出手段３８に印加する駆動電圧を異ならせることにより反射濃度をほぼ同等とするためのものである。本実施形態においては、特に反射濃度の違いが画質に影響しやすい中間調における単位面積当たりの記録率又はノズル３５のインク吐出手段３８に印加する駆動電圧について、重複部補正テーブル４３ｆに規定された所定の補正係数に従った補正を行うようになっている。
【００６３】
具体的には、図６に示すように、記録箇所の重複するノズル３５を有する記録ヘッド３４ａと記録ヘッド３４ｂについて、それぞれ入力諧調値に対する濃度補正値を決定し、さらに、記録箇所の重複するノズル３５部分についての濃度補正値を決定する。
この結果、図７に示すように、補正前の元画像の入力諧調値では記録ヘッド３４ａで記録される箇所、記録ヘッド３４ｂで記録される箇所、及び記録箇所の重複するノズル３５部分で記録される箇所で単位面積当たりの記録率に差がない場合（図７（ａ））に、重複部補正テーブル４３ｆを適用して補正を行うと、記録ヘッド３４ａで記録される箇所、記録ヘッド３４ｂで記録される箇所、及び記録箇所の重複するノズル３５部分で記録される箇所の単位面積当たりの記録率が調整され（図７（ｂ））、重複した記録箇所の反射濃度が他の部分と同等になるように補正される。
【００６４】
さらに、記録媒体補正テーブル４３ｇは、記録媒体Ｐの構成材料に基づいて、画像データの階調の補正量が規定されたＬＵＴである。具体的には、記録媒体補正テーブル４３ｇは、例えば、図５（ｃ）に示すように、構成材料の異なる各記録媒体Ｐ（例えば、構成材料ａである記録媒体Ａ〜構成材料ｄである記録媒体Ｄ）に応じて所定の補正係数（例えば、構成材料ａである記録媒体Ａに対応する補正係数１．００、構成材料ｂである記録媒体Ｂに対応する補正係数０．９５、構成材料ｃである記録媒体Ｃに対応する補正係数０．７５、構成材料ｄである記録媒体Ｄに対応する補正係数０．９０）が規定されている。なお、記録媒体Ｐの種類はここに挙げたものに限定されず、記録に用いる記録媒体Ｐの種類に応じて記録媒体補正テーブル４３ｇが用意される。
【００６５】
ＲＡＭ４２は、各種情報を記憶可能に構成された揮発性のメモリであり、各種のデータ等を記憶する記憶領域、各種プログラム、データを展開する作業領域等を備えて構成されている。本実施形態において、ＲＡＭ４２の記憶領域には、記録媒体Ｐ上への画像の記録を指示するための画像データ（図示せず）等が記憶されている。
【００６６】
ここで、画像データは、例えば、有線、無線を問わず所定の通信手段を介して当該インクジェット記録装置１００に接続された外部装置等から入力されたものであっても良いし、また、例えば光ディスク等の所定の記憶媒体に記録され、所定の読取装置によって読み取られたものであってもよい。
【００６７】
ＣＰＵ４１は、ＲＯＭ４３に格納されている各種プログラムの中から指定されたプログラムを、ＲＡＭ４２内の作業領域に展開して、当該プログラムと協働して各種処理を実行する。
具体的には、ＣＰＵ４１は、階調補正プログラム４３ｂを実行することで、画像の画像データの階調を補正する階調補正処理を実行可能となっている。
特に、本実施形態では、この階調補正処理において、ＣＰＵ４１は、画像の反射濃度を調整する反射濃度調整手段として、複数のノズル３５のいずれによって記録された画像であっても記録画像の反射濃度がほぼ同等となるように、距離補正テーブル４３ｅに基づく距離対応補正、重複部補正テーブル４３ｆに基づく重複する記録箇所の反射濃度を補正する重複部濃度補正、及び記録媒体補正テーブル４３ｇに基づく記録媒体Ｐの種類に応じた補正、を行うように、ノズル３５ごと又は記録ヘッド３４ごとの画像データの階調補正処理を行う。
【００６８】
すなわち、ＣＰＵ４１は、階調補正テーブル４３ａの階調補正特性データに基づき階調が補正された画像データの階調を、距離補正テーブル４３ｅに基づいて補正するようになっている。このとき、ＣＰＵ４１は、各記録ヘッド３４からのインク吐出に基づいて形成される画像の階調値が、記録媒体Ｐの搬送方向Ｘの上流側に配設された記録ヘッド３４ほど大きく、記録媒体Ｐの搬送方向Ｘの下流側に配設された記録ヘッド３４ほど小さくなるように、画像データの階調を補正する。
例えば、本実施形態では、記録媒体Ｐの搬送方向Ｘの最上流に配設されているブラック（Ｋ）のインクを吐出するヘッドユニット３２ａを構成する遠距離の記録ヘッド３４ｂに対応する画像の階調値が最も大きく、記録媒体Ｐの搬送方向Ｘの最下流に配設されているイエロー（Ｙ）のインクを吐出するヘッドユニット３２ｄを構成する近距離の記録ヘッド３４ａに対応する画像の階調値が最も小さくなるように画像データの階調が補正される。
【００６９】
さらに、階調補正処理において、ＣＰＵ４１は、距離補正テーブル４３ｅに基づいて階調が補正された画像データの階調を、重複部補正テーブル４３ｆに基づいて補正するようになっている。
【００７０】
さらに、階調補正処理において、ＣＰＵ４１は、重複部補正テーブル４３ｆに基づいて階調が補正された画像データの階調を、記録媒体補正テーブル４３ｇに基づいて補正するようになっている。
【００７１】
ここで、反射濃度とは、記録媒体Ｐの表面に光を照射したときに、記録媒体Ｐの表面で反射する光を検出することにより測定できるものである。画像記録後の記録媒体Ｐの場合、記録媒体Ｐの表面がインクによって遮蔽されている率が高いほど反射濃度が高くなり、インクによる遮蔽率が低いほど反射濃度が低くなるとの関係にある。いずれのノズル３５によって記録された画像であるかにかかわらず記録画像の反射濃度をほぼ同等となるようにすることにより、記録画像の平滑化を図ることができ、むらのない高精細な記録画像を生成することができる。
【００７２】
反射濃度を測定する装置としては、例えば、図８に示すように、記録媒体Ｐの表面に対してほぼ４５度の角度から記録媒体Ｐの表面に光を照射する照射手段５１と、照射手段５１によって照射される光の焦点の真上に設けられ、記録媒体Ｐの表面に対してほぼ９０度の角度で反射する光を検出する検出手段５２とを備え、照射手段５１から照射された光のうち、記録媒体Ｐの表面で記録媒体Ｐの表面に対してほぼ９０度の角度で反射する光の量を検出手段５２で検出することにより反射濃度を測定する測定装置５０が用いられる。なお、反射濃度を測定する装置はここに例示したものに限定されない。
【００７３】
なお、前記距離補正テーブル４３ｅ、重複部補正テーブル４３ｆ、及び記録媒体補正テーブル４３ｇは、いずれのノズル３５によって記録された画像であっても記録画像の反射濃度がほぼ同等となるように、例えば、各ノズル３５による記録画像の反射濃度を前述の測定装置５０によって測定した測定値の違いに応じて補正値が設定されている。
【００７４】
また、ＣＰＵ４１は、画像記録時において、インク吐出量制御手段として、インク吐出量制御プログラム４３ｃを実行することにより、前記階調補正テーブル４３ａ、距離補正テーブル４３ｅ、重複部補正テーブル４３ｆ、及び記録媒体補正テーブル４３ｇに基づき階調が補正された画像データに基づいて、複数の記録ヘッド３４ａ，３４ｂのノズル３５から吐出されるインク吐出量、即ち、一画素に対して吐出されるべきインク液滴数（又は液滴量）を制御して、単位面積当たりの記録率を調整するようになっている。
【００７５】
次に、本実施形態におけるインクジェット記録装置１００の動作について、図９を参照して説明する。
図９は、インクジェット記録装置１００における階調補正処理を説明するためのフローチャートである。なお、この階調補正処理は、制御部４のＣＰＵ４１が、ＲＯＭ４３に格納されている階調補正プログラム４３ｂをＲＡＭ４２の作業領域に展開し、階調補正プログラム４３ｂとの協働により実現されるものであり、本実施形態において画像の反射濃度を調整する反射濃度調整処理である。
なお、本実施の形態においては、ユーザによる所定の操作に基づいて、又は予めデフォルトとして定められた条件により、記録を行う際の解像度、記録を行う記録媒体Ｐの種類等の画像記録条件が設定されるものとする。
【００７６】
まず、ユーザによる所定の操作に基づいて、記録媒体Ｐに対する画像の記録が指示され、外部のＰＣ（Personal Computer）等から画像データを取得すると（ステップＳ１）、ＣＰＵ４１は、画像データをＲＡＭ４２の記憶領域に格納し、当該画像データに対する階調補正処理を実行する。
【００７７】
すなわち、ＣＰＵ４１は、階調補正プログラム４３ｂを読み出すとともに、ＲＯＭ４３に記憶されている階調補正テーブル４３ａを読み出して、ＲＡＭ４２の所定の作業領域に展開する。そして、ＣＰＵ４１は、階調補正テーブル４３ａの階調補正特性データに基づいて、ＲＡＭ４２に記憶されている画像データを、その入力画像信号レベルに応じたＤ／Ａ入力レベルに階調補正する。これにより、画像データをＲＧＢデータからＹＭＣＫデータに変換する（ステップＳ２）。
【００７８】
次に、ＣＰＵ４１は、階調補正テーブル４３ａに基づき階調が補正された画像データの階調を、距離補正テーブル４３ｅに基づいて補正する（ステップＳ３）。階調補正テーブル４３ａに基づき階調が補正された画像データの階調を、さらに距離補正テーブル４３ｅに基づいて補正することにより、ブラック（Ｋ）のインクを吐出するヘッドユニット３２ａのうち遠距離の記録ヘッド３４ｂのノズル３５により記録される画像の階調値が一番大きく、イエロー（Ｙ）のインクを吐出するヘッドユニット３２ｄのうち近距離の記録ヘッド３４ａのノズル３５により記録される画像の階調値が一番小さくなるように画像の階調値が補正される。
【００７９】
また、ＣＰＵ４１は、ＲＯＭ４３から重複部補正テーブル４３ｆを読み出して、この重複部補正テーブル４３ｆに基づいて、前記距離補正テーブル４３ｅに基づき階調が補正された画像データの階調値を、重複記録部分であるか否かに応じて補正する（ステップＳ４）。これによって、同じ箇所に重複して記録を行うノズル３５がある場合にも画像全体の反射濃度をほぼ同等にすることができる。
【００８０】
さらに、ＣＰＵ４１は、ＲＯＭ４３から記録媒体補正テーブル４３ｇを読み出し、当該画像記録において使用される記録媒体Ｐの種類に対応する補正値に基づいて所定の演算を行うことにより、前記重複部補正テーブル４３ｆに基づき階調が補正された画像データの階調を記録媒体Ｐに対応するように補正する（ステップＳ５）。
【００８１】
このように階調補正処理を行うことによって、ＣＰＵ４１は、画像データの階調特性を最適化し、各ヘッドユニット３２ａ，３２ｂ，３２ｃ，３２ｄに出力する出力画像データを生成する（ステップＳ６）。
なお、階調が最適化された画像データに対して、ＣＰＵ４１が、さらに誤差拡散処理等の所定の処理を施して出力画像データを生成するようにしてもよい。
なお、階調補正処理を行う順序は、ここに例示したものに限定されず、例えば記録媒体補正テーブル４３ｇに基づく階調補正を行った後に、距離補正テーブル４３ｅに基づく階調補正、重複部補正テーブル４３ｆに基づく階調補正を行ってもよい。
【００８２】
出力画像データが生成されると、ＣＰＵ４１は、搬送速度テーブル４３ｄに基づいて当該画像記録における解像度等に応じた搬送速度で記録媒体Ｐを搬送するように搬送機構１を制御するとともに、インク吐出量制御手段として、階調補正処理により生成された出力画像データに基づいて、各ノズル３５から吐出させるインクの吐出量、すなわち、一画素に対して吐出されるべきインク液滴数（又は液滴量）の調整を行う。そして、ＣＰＵ４１は、記録手段である記録ヘッド３４ａ，３４ｂのインク吐出手段３８を制御して、所定の位置に所定量のインクを吐出させる。記録媒体Ｐの上に着弾したインクには光照射部３３から紫外線が照射され、これにより、インクが硬化して、記録媒体Ｐ上に記録画像が形成される。
【００８３】
以上のように、本実施の形態のインクジェット記録装置１００によれば、光照射部３３との距離によって硬化に差が生じるインクを用いて画像記録を行う場合に、ＣＰＵ４１が、光照射部３３からノズル３５までの距離に応じて、光照射部３３からの距離が遠いほど階調値が大きくなるように画像の階調値を補正する。このため、同一色相のインクを吐出するものとして光照射部３３との距離が異なる記録ヘッド３４ａ，３４ｂが複数ある場合でも、記録媒体Ｐ上に記録された画像の反射濃度にむらがなく、高精細な画像記録を行うことができる。
【００８４】
また、ＣＰＵ４１は、同じ箇所に重複して記録を行うノズル３５がある場合に、重複記録箇所とそれ以外の箇所とで単位面積当たりの記録率を変更するように補正を行うので、複数の記録ヘッド３４ａ，３４ｂを、隣接する端部が重なり合うように千鳥状に配置した場合でも、記録画像にスジ等が表れず、高精細な画像記録を行うことができる。
【００８５】
そして、このように、光照射部３３との距離による補正、記録の重複部分に関する補正を行うため、ヘッドユニット３２ａ，３２ｂ，３２ｃ，３２ｄを同一色相のインクを吐出する複数の記録ヘッド３４ａ，３４ｂで構成し、各記録ヘッド３４ａ，３４ｂの端部が重なるように千鳥状に配置した場合にも、画像全体の反射濃度をほぼ同等にすることができる。このため、長尺な記録ヘッド３４ａ，３４ｂを用いることなく、大型の記録媒体Ｐにも対応可能なインクジェット記録装置１００を実現することができる。
【００８６】
さらに、ＣＰＵ４１は、記録媒体Ｐの種類に応じて画像データを補正するので、インクの吸収性、濡れ性、表面エネルギー等の異なる記録媒体Ｐを使用する場合でも、当該画像記録に用いる記録媒体Ｐの特性に応じて出力画像データの階調を適正に補正することができ、記録媒体Ｐの種類にかかわらず、高精細な画像記録を行うことができる。
【００８７】
また、インクとして、カチオン重合系インクを用いているので、ラジカル重合系インクに比べて、紫外線に対する感度が高く且つ酸素による重合反応の阻害が少ないので、記録媒体Ｐ上に吐出されたインクの硬化に必要な光照射部３３からの紫外線の照度を低減させることができる。
【００８８】
なお、本発明は、上記実施の形態に限定されることなく、本発明の趣旨を逸脱しない範囲において、種々の改良並びに設計の変更を行ってもよい。
【００８９】
例えば、本実施形態では、記録ヘッド３４ａ，３４ｂにノズル３５を複数設けるものとしたが、ノズル３５は記録ヘッド３４ａ，３４ｂに列状に設けられていればよく、ノズル３５を設ける数は特に限定されない。
【００９０】
また、本実施形態において、記録手段としての記録ヘッド３４ａ，３４ｂを千鳥状に複数配置するものとしたが、記録ヘッド３４の数及び配置はここに例示したものに限定されない。
すなわち、図１０（ａ）に示すように、同色のインクを吐出する記録ヘッド６０ａ，６０ｂ，６０ｃ，６０ｄをインクの色相ごとに一つずつ設け、このうちの一つ又は複数の記録ヘッド６０を光照射部３３に対して斜めになるように配置してもよい。このように光照射部３３に対して斜めに配置することにより、当該記録ヘッド６０による記録の解像度を向上させることができる。なお、図１０（ａ）では、文字等の記録に多く用いられ、特に解像度を高くする必要性の高いブラック（Ｋ）のインクを吐出する記録ヘッド６０ａのみ、光照射部３３に対して斜めになるようにしているが、斜めに配置する記録ヘッド６０はこれに限定されない。すべての記録ヘッド６０ａ，６０ｂ，６０ｃ，６０ｄを光照射部３３に対して斜めに配置してもよい。
【００９１】
このように、記録ヘッド６０ａを光照射部３３に対して斜めに配置した場合には、図１０（ｂ）に示すように、同じ記録ヘッド６０ａの中でも、ノズル６１によって光照射部３３との距離が異なることとなる。このため、この場合には、距離補正テーブルにおいてノズル６１ごとに補正値を対応付け、光照射部３３との距離ｌｃが最も近いノズル６１による記録の画像の階調値が最も小さく、光照射部３３との距離ｌｄが最も遠いノズル６１による記録の画像の階調値が最も大きくなるように（光照射部３３との距離が遠いノズル６１ほど画像の階調値が大きくなるように）、ノズル６１ごとに画像の階調値を補正するようにする。
【００９２】
また、本実施形態では、画像データに階調処理を施し、記録画像の単位面積当たりの記録率を調整するようにしたが、画像の反射濃度を調整する手法はこれに限定されない。例えば、記録手段である記録ヘッド３４ａ，３４ｂの各ノズル３５に付設されたインク吐出手段３８に対して印加する駆動電圧を変更することにより画像の反射濃度を調整するようにしてもよい。
【００９３】
すなわち、インク吐出手段３８に対して印加する駆動電圧値が高いほど記録濃度が高くなり、駆動電圧値が低いほど記録濃度も低くなる。このため、例えば、図１１（ａ）に示すように、例えば、中間調での濃度を基準として（中間調での濃度を０として）、駆動電圧の補正値を定め、光照射部３３の光源３７との距離に応じて、記録濃度を高くしたい場合には、図１１（ｂ）に示すように、図１１（ａ）に示すような駆動電圧の補正値に従って、インク吐出手段３８に印加する駆動電圧値を引き上げる補正を行うようにしてもよい。
【００９４】
さらに、上記実施の形態では、ＣＰＵ４１は、階調補正手段として、階調補正テーブル４３ａに基づいて階調が補正された画像データの階調を補正するようにしたが、これに限られるものではなく、例えば、階調補正テーブル４３ａを用いずに、画像データの階調を直接補正するような構成であってもよい。
【００９５】
また、ＣＰＵ４１は、反射濃度調整手段として、距離補正テーブル４３ｅによる補正と併せて、重複部補正テーブル４３ｆ、記録媒体補正テーブル４３ｇによる補正をも行うようにしたが、重複部補正テーブル４３ｆ、記録媒体補正テーブル４３ｇによる補正を行うか否かは、適宜任意に変更可能としてもよい。
また、本実施の形態における補正に加えて、例えば、インクの物性に基づき画像データの階調の補正量が規定されたインク物性補正テーブルをＲＯＭ４３等の記憶手段に記憶しておき、ＣＰＵ４１が、前記インク物性補正テーブルに基づいて、画像データの階調値を補正するような構成であってもよい。これにより、画像データの階調特性をさらに最適化することができる。
【００９６】
また、上記実施の形態に用いられるインク（ラジカル重合系インク，カチオン重合系インク及びハイブリッド型インクを含む。）は、紫外線の被照射により硬化するものであるが、必ずしもこれには限定されず、紫外線以外の活性エネルギー線の被照射により硬化するものであってもよい。ここでいう「活性エネルギー線」とは、紫外線、電子線、Ｘ線、可視光線、赤外線等の電磁波を含むものである。つまり、上記実施の形態に用いられるインクには、紫外線以外の活性エネルギー線で重合して硬化する重合性化合物と、紫外線以外の活性エネルギー線で重合性化合物どうしの重合反応を開始させる光開始剤とが適用されてもよい。紫外線以外の活性エネルギー線で硬化する光硬化型のインクを上記実施の形態に用いる場合は、その活性エネルギー線を照射する光源を光照射部として適用する必要がある。
【００９７】
また、本実施の形態では、記録媒体Ｐ上に着弾したインク滴が、着弾直後においてドット径が時間の経過とともに小さくなるような性質を有するインクを用いるものとし、光照射部３３との距離が遠いノズル（記録ヘッド）ほど、画像の階調値が大きくなるようにしたが、インクの特性はこれに限られるものではない。
例えば、記録媒体上に着弾後のドット径が時間の経過とともに大きくなるような性質を有するインクを用いてもよく、この場合には、距離補正テーブル４３ｅは、光照射部３３との距離が遠いノズル（記録ヘッド）ほど、画像の階調値が小さくなるように、画像データの階調の補正量が規定されたものが用いられることとなる。
【００９８】
さらに、本実施形態においてインクジェット記録装置１００は、ライン方式のヘッドユニット３２ａ，３２ｂ，３２ｃ，３２ｄを備える画像記録ユニット３により画像記録を行うものとしたが、例えば、記録媒体Ｐを搬送方向（副走査方向）に搬送させながら、キャリッジ等に搭載された記録ヘッドを主走査方向に往復移動させるとともに、記録ヘッドからインクを吐出させて、画像を形成するシリアルヘッド方式のインクジェット記録装置であってもよい。この場合にも、各記録ヘッドのノズルと光照射部との距離に応じて画像の階調値が補正される。
【００９９】
その他、本発明が上記実施の形態に限らず適宜変更可能であるのは勿論である。
【０１００】
［第２の実施形態］
次に、図１２から図１４を参照しつつ、本発明の第２の実施形態について説明する。なお、第２の実施形態は、いずれのノズルによって記録された画像であっても反射濃度がほぼ同等となるように、画像の反射濃度を調整する手法が第１の実施形態と異なるものであるため、以下においては、特に第１の実施形態と異なる点について説明する。
【０１０１】
図１２は、本実施形態にかかるインクジェット記録装置の制御構成を示すブロック図である。第２の実施形態において、インクジェット記録装置は、第１の実施形態とほぼ同様の活性エネルギー線照射手段としての光照射部３３、記録手段としての複数のノズル（図示せず）を有する記録ヘッド３４ａ，３４ｂを備えている。また、インクジェット記録装置は、第１の実施形態とほぼ同様のＣＰＵ４１を備える制御部４（反射濃度調整手段）を備えている。
【０１０２】
図１２に示すように、制御部４のＲＯＭ４３には、第１の実施形態と同様に、階調補正テーブル４３ａ、距離補正テーブル４３ｅ、重複部補正テーブル４３ｆ、記録媒体補正テーブル４３ｇ等のＬＵＴが格納されている。また、本実施形態においては、光照射部３３から照射される活性エネルギー線としての紫外線の照射光量を調整するための照射光量補正テーブル４３ｈが、ＲＯＭ４３に格納されている。
【０１０３】
図１３は、ノズル（又は記録ヘッド３４ａ，３４ｂ）と光照射部３３（又は光照射部３３に備えられる図示しない光源）との距離と、光照射部３３からの照射光量の補正係数との関係を示したグラフである。ノズルと光照射部３３との距離が遠くなるほど、インクが記録媒体上に着弾してから紫外線が照射されるまでの照射タイミングが遅くなるためインクの硬化が遅くなり、ノズルと光照射部３３との距離が近くなるほど、インクが記録媒体上に着弾してから紫外線が照射されるまでの照射タイミングが早くなるためインクの硬化が早くなる、というように、ノズルと光照射部３３との距離によってインクの硬化状態に差が生じる。
この点、照射光量が多いほど記録媒体上でインクが早く硬化するため、ノズルと光照射部３３との距離が遠くなるほど照射光量が多くなるように補正することにより、ノズルと光照射部３３との距離の違いによって生じるインクの硬化状態の差がなくなるように調整することが可能となる。照射光量を照射光量補正テーブル４３ｈにおいては、図１３に示すように、ノズルと光照射部３３との距離が遠くなるほど照射光量の補正係数が小さくなるように、ノズルと光照射部３３との距離と照射光量の補正係数とが対応付けられている。
【０１０４】
また、照射光量の補正係数は、記録媒体の種類によっても異なり、例えば、図１３では、記録媒体Ａの場合には、ノズルと光照射部３３との距離が遠くなるに従って照射光量の補正係数はわずかに小さくなる程度であるが、記録媒体Ｂの場合には、ノズルと光照射部３３との距離に対応して照射光量の補正係数が大きく変化し、ノズルと光照射部３３との距離が遠くなるほど照射光量の補正係数が小さくなるようになっている。
【０１０５】
ＣＰＵ４１は、階調補正処理において、第１の実施形態と同様に、階調補正テーブル４３ａ、距離補正テーブル４３ｅ、重複部補正テーブル４３ｆ、記録媒体補正テーブル４３ｇに基づく階調値の補正を行った後、ＲＯＭ４３に格納された照射光量補正テーブル４３ｈを読み出して、ノズルと光照射部３３との距離に対応して、記録媒体上に着弾したインクに対して照射する照射光量を調整する。
【０１０６】
すなわち、本実施形態において、光照射部３３の光源は、部分的に照射光量の調整が可能な構成となっており、例えばＬＥＤ等を複数備えて構成されている。
なお、光源が、照射される紫外線自体の光量を部分ごとに調整することができないような構成のもの（例えば水銀ランプ等）であっても、光源近傍に光源から照射された紫外線を斜めに遮光する遮光部材等を設け、ＣＰＵ４１がこの遮光部材の角度等を調整することにより、記録媒体上に着弾したインクに照射される紫外線の光量を調整するように構成してもよい。
【０１０７】
なお、その他の構成は、第１の実施形態において示したものとほぼ同様であるため、同一箇所には同一の符号を付して、その説明を省略する。
【０１０８】
次に、本実施形態におけるインクジェット記録装置の動作について、図１４を参照して説明する。
図１４は、インクジェット記録装置における画像の反射濃度を調整する反射濃度調整処理を説明するためのフローチャートである。
【０１０９】
制御部４のＣＰＵ４１は、第１の実施形態と同様に、階調補正テーブル４３ａ、距離補正テーブル４３ｅ、重複部補正テーブル４３ｆ、記録媒体補正テーブル４３ｇに基づいて画像の階調を補正する階調補正処理を行う。なお、この階調補正処理に関するステップＳ１１からステップＳ１６は、第１の実施形態において説明した階調補正処理に関するステップＳ１からステップＳ６（図９参照）と同様の処理であるため、その説明を省略する。
【０１１０】
画像データについての階調補正処理が完了し、出力画像データが生成されると（ステップＳ１６）、ＣＰＵ４１は、ＲＯＭ４３から照射光量補正テーブル４３ｈを読み出し、ノズルと光照射部３３との距離に対応して、記録媒体上に着弾したインクに対して照射する照射光量を調整する（ステップＳ１７）。そして、各ノズルから出力画像データに基づいてインクを吐出させるとともに、記録媒体上に着弾したインクに対して調整後の照射光量で光照射部３３から紫外線を照射する（ステップＳ１８）。これにより、インクが硬化して、記録媒体上に画像が形成される。
【０１１１】
以上のように、本実施形態においては、画像データについての階調補正処理を行うとともに、ノズルと光照射部３３との距離に対応して光照射部３３から照射する紫外線の照射光量の調整も行うので、より適切に画像の反射濃度を調整することができ、いずれのノズルによって記録された画像であっても反射濃度をほぼ同等にすることができる。
【０１１２】
なお、本実施形態では、階調補正処理において、階調補正テーブル４３ａに基づく補正、距離補正テーブル４３ｅに基づく補正、重複部補正テーブル４３ｆに基づく補正、記録媒体補正テーブル４３ｇに基づく補正を行うものとしたが、これらすべての補正処理を行う場合に限定されない。例えば階調補正処理として、距離補正テーブル４３ｅに基づく補正のみを行うものとしてもよい。
また、本実施形態では、画像データに階調補正処理を施すことによって画像の反射濃度を調整するようにしたが、画像の反射濃度を調整する手法はこれに限定されない。例えば、記録手段である記録ヘッドの各ノズルに付設されたインク吐出手段３８に対して印加する駆動電圧値を変更することにより画像の反射濃度を調整するようにしてもよい。
【０１１３】
その他、本発明が上記実施の形態に限らず適宜変更可能であるのは第１の実施形態と同様である。
【０１１４】
［第３の実施形態］
次に、図１５から図１７を参照しつつ、本発明の第３の実施形態について説明する。なお、第３の実施形態は、いずれのノズルによって記録された画像であっても反射濃度がほぼ同等となるように、画像の反射濃度を調整する手法が第１の実施形態及び第２の実施形態と異なるものであるため、以下においては、特に第１の実施形態及び第２の実施形態と異なる点について説明する。
【０１１５】
図１５は、本実施形態にかかるインクジェット記録装置の制御構成を示すブロック図である。第２の実施形態において、インクジェット記録装置は、第１の実施形態とほぼ同様の活性エネルギー線照射手段としての光照射部３３、記録手段としての複数のノズルを有する記録ヘッド（図示せず）を備えている。また、インクジェット記録装置は、第１の実施形態及び第２の実施形態とほぼ同様のＣＰＵ４１を備える制御部４（反射濃度調整手段）を備えている。
【０１１６】
また、本実施形態において、インクジェット記録装置には、記録媒体を部分的に加熱可能な温度調整手段としてヒータ７０が設けられている。ヒータ７０としては、例えば、記録媒体を非記録面側から支持するプラテンに設けられるプラテンヒータが適用できる。この場合、例えば熱線の分布を部分ごとに変化させることができる構成とし、記録媒体の部分ごとに異なる温度で加熱可能なように構成する。
なお、温度調整手段はこれに限定されず、例えば、記録媒体の記録面側から非接触で記録媒体を加熱する非接触型のヒータを用いてもよい。この場合には、ヒータと記録媒体との間に熱を遮蔽する遮蔽部材を取り付けて、記録媒体の部分ごとに異なる温度で加熱可能なように構成する。
【０１１７】
図１５に示すように、制御部４のＲＯＭ４３には、第１の実施形態及び第２の実施形態と同様に、階調補正テーブル４３ａ、距離補正テーブル４３ｅ、重複部補正テーブル４３ｆ、記録媒体補正テーブル４３ｇ等のＬＵＴが格納されている。また、本実施形態においては、ヒータ７０による加熱温度を調整するための媒体温度補正テーブル４３ｉが、ＲＯＭ４３に格納されている。
【０１１８】
図１６は、ノズル（又は記録ヘッド３４ａ，３４ｂ）と光照射部３３（又は光照射部３３に備えられる図示しない光源）との距離と、ヒータによる加熱温度の補正係数との関係を示したグラフである。ノズルと光照射部３３との距離が遠くなるほど、インクが記録媒体上に着弾してから紫外線が照射されるまでの照射タイミングが遅くなるためインクの硬化が遅くなり、ノズルと光照射部３３との距離が近くなるほど、インクが記録媒体上に着弾してから紫外線が照射されるまでの照射タイミングが早くなるためインクの硬化が早くなる、というように、ノズルと光照射部３３との距離によってインクの硬化状態に差が生じる。
この点、記録媒体の温度が高いほど記録媒体上でインクが早く硬化するため、ノズルと光照射部３３との距離が遠くなるほど温度が高くなるように補正することにより、ノズルと光照射部３３との距離の違いによって生じるインクの硬化状態の差がなくなるように調整することが可能となる。記録媒体の加熱温度を補正する媒体温度補正テーブル４３ｉにおいては、図１６に示すように、ノズルと光照射部３３との距離が遠くなるほど温度補正係数が小さくなるように、ノズルと光照射部３３との距離と照射光量の補正係数とが対応付けられている。
【０１１９】
また、温度補正係数は、記録媒体の種類によっても異なり、例えば、図１６では、記録媒体Ａの場合には、ノズルと光照射部３３との距離が遠くなるに従って温度補正係数はわずかに小さくなるが、記録媒体Ｂの場合には、ノズルと光照射部３３との距離に対応して、温度補正係数が記録媒体Ａの場合よりも大きく変化し、ノズルと光照射部３３との距離が遠くなるほど温度補正係数が小さくなるようになっている。
【０１２０】
ＣＰＵ４１は、階調補正処理において、第１の実施形態と同様に、階調補正テーブル４３ａ、距離補正テーブル４３ｅ、重複部補正テーブル４３ｆ、記録媒体補正テーブル４３ｇに基づく階調値の補正を行った後、ＲＯＭ４３に格納された媒体温度補正テーブル４３ｉを読み出して、ノズルと光照射部３３との距離に対応して、記録媒体の温度を調整する。
【０１２１】
すなわち、本実施形態において、ＣＰＵ４１は、ノズルと光照射部３３との距離が遠いほどヒータの温度を高く設定し、記録媒体を加熱するようになっている。
【０１２２】
なお、その他の構成は、第１の実施形態に示したものとほぼ同様であるため、同一箇所には同一の符号を付して、その説明を省略する。
【０１２３】
次に、本実施形態におけるインクジェット記録装置の動作について、図１７を参照して説明する。
図１７は、インクジェット記録装置における画像の反射濃度を調整する反射濃度調整処理を説明するためのフローチャートである。
【０１２４】
制御部４のＣＰＵ４１は、第１の実施形態と同様に、階調補正テーブル４３ａ、距離補正テーブル４３ｅ、重複部補正テーブル４３ｆ、記録媒体補正テーブル４３ｇに基づいて画像の階調を補正する階調補正処理を行う。なお、この階調補正処理に関するステップＳ２１からステップＳ２６は、第１の実施形態において説明した階調補正処理に関するステップＳ１からステップＳ６（図９参照）と同様の処理であるため、その説明を省略する。
【０１２５】
画像データについての階調補正処理が完了し、出力画像データが生成されると（ステップＳ２６）、ＣＰＵ４１は、ＲＯＭ４３から媒体温度補正テーブル４３ｉを読み出し、ノズルと光照射部３３との距離に対応して、記録媒体を加熱するヒータの設定温度を調整する（ステップＳ２７）。そして、ＣＰＵ４１は、ヒータ７０を動作させ、調整後の温度で記録媒体を加熱する（ステップＳ２８）。そして、記録媒体の温度が十分に上昇すると、各ノズルから出力画像データに基づいてインクを吐出させるとともに、記録媒体上に着弾したインクに対して光照射部３３から紫外線を照射する。これにより、インクが硬化して、記録媒体上に画像が形成される。なお、図示しない温度センサ等を記録媒体の記録面付近に設けて、記録媒体の温度が十分に上昇したか否かを検出し、ＣＰＵ４１は、検出結果に応じてヒータ７０のＯＮ／ＯＦＦや設定温度の変更等の制御を行うようにしてもよい。
【０１２６】
以上のように、本実施形態においては、画像データについての階調補正処理を行うとともに、ノズルと光照射部３３との距離に対応して、距離が遠いほど記録媒体の温度が高くなるように記録媒体を加熱するので、より適切に画像の反射濃度を調整することができ、いずれのノズルによって記録された画像であっても反射濃度をほぼ同等にすることができる。
【０１２７】
なお、本実施形態では、階調補正処理において、階調補正テーブル４３ａに基づく補正、距離補正テーブル４３ｅに基づく補正、重複部補正テーブル４３ｆに基づく補正、記録媒体補正テーブル４３ｇに基づく補正を行うものとしたが、これらすべての補正処理を行う場合に限定されない。例えば階調補正処理として、距離補正テーブル４３ｅに基づく補正のみを行うものとしてもよい。
また、本実施形態では、画像データに階調補正処理を施すことによって画像の反射濃度を調整するようにしたが、画像の反射濃度を調整する手法はこれに限定されない。例えば、記録手段である記録ヘッドの各ノズルに付設されたインク吐出手段３８に対して印加する駆動電圧を変更することにより画像の反射濃度を調整するようにしてもよい。
【０１２８】
また、第２の実施形態で示したように、ノズルと光照射部３３との距離に対応して光照射部３３からの照射光量を調整する補正を合わせて行ってもよい。
【０１２９】
その他、本発明が上記実施の形態に限らず適宜変更可能であるのは第１の実施形態及び第２の実施形態と同様である。
【図面の簡単な説明】
【０１３０】
【図１】本発明の第１の実施形態として例示するインクジェット記録装置を概略的に示した図である。
【図２】図１のインクジェット記録装置の画像記録ユニットの要部構成を示した平面図である。
【図３】図２に示した画像記録ユニットの一のヘッドユニットと光照射部との関係を示した平面図である。
【図４】図１のインクジェット記録装置の制御部の要部構成を示す機能ブロック図である。
【図５】図５（ａ）は、図１のインクジェット記録装置による階調補正処理に係る、階調補正テーブルの一例を示す図であり、図５（ｂ）は、距離補正テーブルの一例を示す図であり、図５（ｃ）は、記録媒体補正テーブルの一例を示す図である。
【図６】重複記録箇所がある場合の入力階調値と濃度補正値との関係を示したグラフである。
【図７】重複記録箇所がある場合の元画像と補正後の画像との関係を説明するための図である。
【図８】反射濃度を測定する測定装置の一例を示す概略構成図である。
【図９】図１のインクジェット記録装置による階調補正処理を説明するためのフローチャートである。
【図１０】図１０（ａ）は、図２に示す画像記録ユニットの一変形例の要部構成を示した平面図である。図１０（ｂ）は、図１０（ａ）に示す一の記録ヘッドのノズルと光照射部との関係を示した説明図である。
【図１１】駆動電圧を変化させる場合の補正値の例を示すグラフである。
【図１２】本発明の第２の実施形態として例示するインクジェット記録装置を概略的に示した図である。
【図１３】本発明の第２の実施形態における照射光量補正係数の一例を示すグラフである。
【図１４】図１２のインクジェット記録装置による反射濃度調整処理を説明するためのフローチャートである。
【図１５】本発明の第３の実施形態として例示するインクジェット記録装置を概略的に示した図である。
【図１６】本発明の第３の実施形態における照射光量補正係数の一例を示すグラフである。
【図１７】図１５のインクジェット記録装置による反射濃度調整処理を説明するためのフローチャートである。
【符号の説明】
【０１３１】
１００      インクジェット記録装置
３          画像記録ユニット
３２ａ〜３２ｄ  ヘッドユニット
３４ａ，３４ｂ  記録ヘッド（記録手段）
３３        光照射部
３７        光源
４          制御部
４１        ＣＰＵ（反射濃度調整手段）
４２        ＲＡＭ
４３        ＲＯＭ
４３ａ      階調補正テーブル
４３ｂ      階調補正プログラム
４３ｃ      インク吐出量制御プログラム
４３ｄ      搬送速度テーブル
４３ｅ      距離補正テーブル
４３ｆ      重複部補正テーブル
４３ｇ      記録媒体補正テーブル
７０        ヒータ（温度調整手段）
Ｘ          搬送方向
【図１】
2008162176.tif 000003
【図２】
2008162176.tif 000004
【図３】
2008162176.tif 000005
【図４】
2008162176.tif 000006
【図５】
2008162176.tif 000007
【図６】
2008162176.tif 000008
【図７】
2008162176.tif 000009
【図８】
2008162176.tif 000010
【図９】
2008162176.tif 000011
【図１０】
2008162176.tif 000012
【図１１】
2008162176.tif 000013
【図１２】
2008162176.tif 000014
【図１３】
2008162176.tif 000015
【図１４】
2008162176.tif 000016
【図１５】
2008162176.tif 000017
【図１６】
2008162176.tif 000018
【図１７】
2008162176.tif 000019